(57)【特許請求の範囲】
【請求項１】
土質試料の導入口を構成する先端コーンに、貫入装置によって地中内を回動・降下する円筒状の貫入用ロッドの下端部を、該先端コーンに上下に重ねて離脱可能に係合し、該貫入用ロッドの内側に、下端を前記先端コーンに嵌脱自在に組付けて前記導入口と連通する試料採取管と該試料採取管の上端部に接続手段によって下端部を接続したガイドパイプを配設し、前記貫入用ロッドの前記貫入装置に接続する接続材を設けた上端部に接触子を設け、該接触子に前記貫入用ロッドの軸線上において点接触する接触子を前記ガイドパイプの上端に設けると共に、前記試料採取管に土砂が収容される際に生じる圧力が前記接触子同士の点接触関係を介して負荷されるスプリングを、前記一方の接触子側に設けた、地層調査における土質試料採取装置。
【発明の詳細な説明】
【０００１】
【産業上の利用分野】
本発明は、地層調査において地盤のサンプルすなわち土質試料を採取するために用いる装置に関するものである。
【０００２】
【従来の技術】
地盤のＮ値を求めると共に土質試料を採取できるようにしてある所謂標準貫入試験機が知られている。
【０００３】
【発明が解決しようとする課題】
しかしながら、前記試験機による貫入試験は、１．００ｍ毎に貫入試験を行うため、次段の貫入試験との間の５０ｃｍ間の試料採取ができず満足できるものではない。すなわち、前記標準貫入試験機は、貫入試験に併用して試料採取を行うような構造のため、土質試料を断続的な採取しかできず、土質確認が必ずしも正確にできない。
【０００４】
本発明は、前記従来の標準貫入試験機の試料採取上の欠点に着目し、従来の貫入試験機に用いられている（又はそれと同等の）貫入装置と接続しても土質試料を連続的に採取できる装置を提供すべく創案したものである。
【０００５】
【課題を解決するための手段】
土質試料の導入口を構成する先端コーンに、貫入装置によって地中内を回動・降下する円筒状の貫入用ロッドの下端部を、該先端コーンに上下に重ねて離脱可能に係合し、該貫入用ロッドの内側に、下端を前記先端コーンに嵌脱自在に組付けて前記導入口と連通する試料採取管と該試料採取管の上端部に接続手段によって下端部を接続したガイドパイプを配設し、前記貫入用ロッドの前記貫入装置に接続する接続材を設けた上端部に接触子を設け、該接触子に前記貫入用ロッドの軸線上において点接触する接触子を前記ガイドパイプの上端に設けると共に、前記試料採取管に土砂が収容される際に生じる圧力が前記接触子同士の点接触関係を介して負荷されるスプリングを、前記一方の接触子側に設けた構成としたものである。
【０００６】
【実施例】
図面は本発明に係る地層調査における土質試料採取装置の一実施例を示し、実施例のものは、円筒鋼管より成る貫入用ロッド１の上端に接続材（ノッキングヘッド）２を着脱自在に取付け、該接続材２をハンマーその他の部材で成る貫入装置に接続自在に接続し、前記貫入用ロッド１を貫入装置によって１．００ｍ貫入させつつＮ値（データ）を求めると共に、貫入用ロッド１内に納めた試料採取管３に土質試料を充填採取して回収し、次段の深度の貫入試験及び試料採取のために前記貫入用ロッド１の単位体１Ａを順次継ぎ足して用いるようにしたものである。
【０００７】
従って、前記貫入装置は、前記貫入用ロッド１を地中内に沈降させる装置と、該貫入用ロッド１を地中内に垂直に（真直ぐに）順次沈降させるに必要な貫入用ロッド１の回動装置を備えたもので、この貫入装置は具体例を挙げるまでもなく公知なので説明を省略する。
【０００８】
もっとも、本装置に用いる貫入装置は、前記Ｎ値を求めるための装置（例えば、打撃数記録カウンターなど）を必ずしも必要とせず、前記貫入用ロッド１を地中内に垂直に沈降させる装置を備えたものであればよい。換言すれば、専ら試料採取用としての貫入装置に適用しても良いのである。
【０００９】
図中、４は先端（導）コーンで、先端コーン４はその軸線上に、下端を土質試料の導入口５とした導通孔５Ａを備え、該導通孔５Ａを取り囲むようにして上部側に設けた上端開口の係合溝６を備えた鋼材で構成したものである。
【００１０】
この先端コーン４に前記貫入用ロッド１と該貫入用ロッド１の内側に配した前記試料採取管３および該採取管３に接続したガイドパイプ７を離脱可能に組合わせて本装置を構成する。
【００１１】
貫入用ロッド１は前記先端コーン４の沈降深度に従って単位体１Ａ，１Ａを端末に設けた雄螺子部１ａと雌螺子部１ｂと互いに螺合した順次継ぎ足して構成するもので（単位体１Ａ単独でも貫入用ロッド１を構成する）、下端部（最下位の単位体１Ａの下端部）を先端コーン４に設けた係合溝６に嵌挿して先端コーン４に対し回動かつ離脱可能に組合わせたものである。なお、最上位に位置する単位体１Ａ（単一な場合は当該単位体１Ａ）上には長さ調整用の短管１Ａ´´が前記螺合手段で接続、配置される。
【００１２】
貫入用ロッド１と先端コーン４は、実施例では係合溝６にロッド１側を嵌挿して組合わせてあるが、係合溝６を構成する外壁部６ａを省略して、実施例の内壁部６ｂでのみ構成する円筒部を貫入用ロッド１に挿入した組合わせ関係のものであっても良い。要は、貫入用ロッド１が、先端コーン４上にあって該先端コーン４と上下に重なり合い、貫入装置の操作による貫入ロッド１の降下により先端コーン４を押下でき、先端コーン４に対し自由に回動し、しかも、先端コーン４から自在に離脱できる先端コーン４との組合わせ（係合）関係があれば良い。
【００１３】
前記試料採取管３は硬質ビニールパイプで構成し、前記の通り貫入用ロッド１の内側に配し、下端部を前記先端コーン４の上端に設けた細径部４ａに、該細径部４ａを相対的に強制嵌入させるようにして離脱可能に組付け、上端部を前記ガイドパイプ７の最下位の単位体７Ａの下端の細径部７ａに外側から嵌め込み接続手段である木ねじ８を前記上端部を通じて細径部７ａに設けたねじ孔９に螺合してガイドパイプ７に接続したものである。
【００１４】
ガイドパイプ７は、前記最下位のガイドパイプ単位体７Ａに、上位側の他の単位体７Ａを端末に設けた雄螺子部７ｂと雌螺子部７ｃを互いに螺合して接続して構成するものであって、貫入用ロッド１の単位体１Ａの継ぎ足しと同様に、先端コーン４の沈降深度に従って順次継ぎ足して構成される（従って、単一な単位体７Ａでガイドパイプを構成する場合もある）。
【００１５】
このガイドパイプ７の上端すなわち、ガイドパイプ７の最上位の単位体７Ａの上端には接触子１０を設け、接触子１０は主体部１０ａの上面に頂点部がガイドパイプ７または貫入用ロッド１又は先端コーン４の軸線上（設計上であって、実用上不都合がなければ軸線上から外れていても良いことは勿論である）に位置する半球状の接触部片１０ｂを突設し、下面に突設した螺子部１０ｃを前記ガイドパイプ（最上位に位する単位体７Ａ）に設けた雌螺子７ｃに螺合して取付けたもので、実施例では、この接触子１０（接触部片１０ｂ）に前記軸線上において接する半円球状の接触部片１１ｂを備えた接触子１１を前記貫入用ロッド１の前記短管１Ａ´´に設けてある。
【００１６】
貫入用ロッド１側の接触子１１は、主体部１１ａの下面側に前記接触部片１１ｂを、上面側に取付部片１１ｃをそれぞれ突出させて構成したもので、前記短管１Ａ´´に設けた雌螺子１ｂに螺子筒部２ｂを螺合して貫入用ロッド１に着脱自在に取付けた前記接続材２の主体部２ａの下面に螺子筒部２ｂの軸線上（前記軸線上）にして突設した支持部片２ｃに、スプリング１２を介して取付けたものである。
【００１７】
なお、接続材２は、主体部２ａの上面に立設した柱体上の接続部２ｄを貫入装置Ａに離脱可能に接続し、前記貫入用ロッド１はこの貫入装置Ａによって接続材２を介して降下動作と回動操作（ほぼ９０°回動）が選択的に行われるようになっている。
【００１８】
しかして、貫入装置に実施例装置を適用して連続自動貫入試験機として使用して試料採取は次の操作で実行される。
【００１９】
すなわち、先端コーン４に細径部４ａにおいて試料採取管３を組付け、該試料採取管３に上端部に接触子１０を組付けた、最下位のガイドパイプ単位体７Ａ（ガイドパイプ）を木ねじ８を用いて接続する一方、これらを嵌挿するようにして最下位の貫入用ロッド単位体１Ａと該単位体１Ａにねじ部１ａ，１ｂによって接続した他の単位体１Ａ（上端部に接触子１１付の接続材２を備えた短管１１Ａ´´を組付けた）を最下位のものの下端部を先端コーン４の係合溝６に嵌挿させるようにして先端コーン４と組合わせ、接続材２を接続部２ｄを貫入装置に接続するようにして先端コーン４側から打ち込み機械打設ポイントに差し込み、自動貫入試験を１．００ｍ行う。
【００２０】
試験機は、自動的に打撃回数を記録し、同時に貫入用ロッド１に生じる周辺摩擦力（トルク）をも記録しながら地中内を降下し、１．００ｍ貫入したら自動停止する。
【００２１】
この試験中、ハンマーにより叩打しつつ接続材２を介して貫入用ロッド１を降下させると、貫入用ロッド１は先端コーン４の上側に重なり合って係合してあるから、先端コーン４は貫入用ロッド１に押下されて地中内を降下し、この降下によって、土砂が導入口５を通じて試料採取管３内に自動的に土質試料として収容され、また、先端コーン４は、貫入装置Ａによる貫入用ロッド１に対する押下操作の間に行われる貫入用ロッド１の回動操作により垂直に降下する。
【００２２】
また、試料採取管３内に土砂が収容（移動）される際に生じる試料採取管３に対する圧力（摩擦力）は、接触子１０，１１同士の点接触関係を介してスプリング１２に負荷され、該スプリング１２が該圧力に反発して試料採取管３の定位置を維持させる。
【００２３】
そして、貫入装置を接続材２位置から外し、接続材２および接触子１０を取り外し、ガイドパイプ７を引き上げると、該ガイドパイプ７に接続手段で接続した試料採取管３の下端部は先端コーン４の細径部４ａと係合関係にあるだけであるので、先端コーン４から離脱して地中内から引き抜かれ、試料採取管３の土砂は土質試料として回収される。
【００２４】
そして、ガイドパイプ７に新たな単位体７Ａを継ぎ足す一方、貫入用ロッド１にも短管１１Ａ´´を最上位に位置させるようにして新たに単位体１Ａを継ぎ足し、再び、前記打設ポイント内において貫入操作を行い、次段の土質試料を回収するのである。
【００２５】
この作業の繰り返しで計画している深度まで試料採取管３を１ｍ沈降するごとに取り替えながら、かつ、貫入用ロッド単位体１Ａおよびガイドパイプ単位体７Ａを継ぎ足しながら貫入試験を行うのである。
【００２６】
なお、垂直に降下させるための貫入装置による貫入用ロッド１の回動動作は、接続材１すなわち貫入用ロッド１側の接触子１０とガイドパイプ５（試料採取管３や先端コーン４を接続した）側の接触子１１が互いに点接触しているためガイドパイプ５側に伝達されず、該動作が円滑に行われる。
【００２７】
実施例の接触子１０，１１は半円球状の接触部片１０ｂ，１１ｂ同士の接触により点接触するようにしてあるが、半円球状に代えて一方を平面状にして点接触状態を得ても良い。
【００２８】
前記スプリング１２は、ガイドパイプ７側の接触子１０部に配しても不都合はない。
【００２９】
【発明の効果】
本発明は前記の通りの構成であるから、所謂貫入試験に伴う土質試料採取を確実に行うことができ、しかも、貫入用ロッドの回動が、試料採取管に伝達されずに行われるから、地中内に垂直に降下させての連続的な試料採取を行えるから、信頼性の高い土質試料を得られる。
【図面の簡単な説明】
【図１】断面図。
【符号の説明】
１          貫入用ロッド
２          接続材
３          試料採取管
４          先端コーン
５          導入口
７          ガイドパイプ
１０，１１  接触子
【図１】
0003898497.tif 000002